【手続補正書】
【提出日】平成25年3月4日(2013.3.4)
【手続補正１】
【補正対象書類名】特許請求の範囲
【補正対象項目名】全文
【補正方法】変更
【補正の内容】
【特許請求の範囲】
【請求項１】
第１の二次元コードを含む第１の原稿と、第２の二次元コードを含む第２の原稿とを読取る読取手段と、
その読取りにより得られた画像データにおけるその第１の二次元コードとその第２の二次元コードとをデコードするデコード手段と、
その第１の二次元コードのそのデコードにより得られたセキュリティ情報と、その第２の二次元コードのそのデコードにより得られたセキュリティ情報のうち、より高いセキュリティレベルを持つセキュリティ情報を選択する選択手段と、
その選択されたセキュリティ情報に基づいて第３の二次元コードを生成する生成手段と、
その画像データと、その生成されたその第３の二次元コードとを合成する合成手段と、
その合成の結果を出力する出力手段とを有することを特徴とする装置。
【請求項２】
その出力手段は、
その合成の結果を１枚の紙に印刷することを特徴とする請求項１に記載の装置。
【請求項３】
その生成手段は、
その第１の二次元コードのそのデコードにより得られたそのセキュリティ情報と、その第２の二次元コードのそのデコードにより得られたそのセキュリティ情報のうちのその選択されたセキュリティ情報を含み、選択されなかったセキュリティ情報を含まないその第３の二次元コードを生成することを特徴とする請求項１又は２に記載の装置。
【請求項４】
その合成手段でのその合成の前に、
その画像データから、その選択されなかったそのセキュリティ情報を含む二次元コードを削除する削除手段をさらに有することを特徴とする請求項３に記載の装置。
【請求項５】
その合成手段でのその合成の前に、
その画像データから、その選択されたセキュリティ情報を含む二次元コードを削除する削除手段をさらに有することを特徴とする請求項３に記載の装置。
【請求項６】
その選択手段は、
その第１の二次元コードのそのデコードにより得られたそのセキュリティ情報のセキュリティレベルと、その第２の二次元コードのそのデコードにより得られたそのセキュリティ情報のセキュリティレベルとを比較し、
その比較の結果として、そのより高いセキュリティレベルを持つそのセキュリティ情報を選択することを特徴とする請求項１乃至５の何れか１項に記載の装置。
【請求項７】
第１の二次元コードを含む第１の原稿と、第２の二次元コードを含む第２の原稿とを読取る読取手段と、
その読取りにより得られた画像データにおけるその第１の二次元コードとその第２の二次元コードとをデコードするデコード手段と、
その第１の二次元コードのそのデコードにより得られた追跡情報と、その第２の二次元コードのそのデコードにより得られた追跡情報のうち、より古い追跡情報を選択する選択手段と、
その選択された追跡情報に基づいて第３の二次元コードを生成する生成手段と、
その画像データと、その生成されたその第３の二次元コードとを合成する合成手段と、
その合成の結果を出力する出力手段とを有する装置。
【請求項８】
その出力手段は、
その合成の結果を１枚の紙に印刷することを特徴とする請求項７に記載の装置。
【請求項９】
その生成手段は、
その第１の二次元コードのそのデコードにより得られたその追跡情報と、その第２の二次元コードのそのデコードにより得られたその追跡情報のうちのその選択された追跡情報を含み、選択されなかった追跡情報を含まないその第３の二次元コードを生成することを特徴とする請求項７又は８に記載の装置。
【請求項１０】
その合成手段でのその合成の前に、
その画像データから、その選択されなかったそのセキュリティ情報を含む二次元コードを削除する削除手段をさらに有することを特徴とする請求項７乃至９の何れか１項に記載の装置。
【請求項１１】
その合成手段でのその合成の前に、
その画像データから、その選択されたその追跡情報を含む二次元コードを削除する削除手段をさらに有する請求項７乃至９の何れか１項に記載の装置。
【請求項１２】
その第１の二次元コードとその第２の二次元コードは、同じセキュリティレベルのセキュリティ情報を含む請求項７乃至１１の何れか１項に記載の装置。
【請求項１３】
追跡情報とは、原稿の印刷を指示したユーザを示す情報である請求項７乃至１２の何れか１項に記載の装置。
【請求項１４】
第１の二次元コードを含む第１の原稿と、第２の二次元コードを含む第２の原稿とを読取る読取工程と、
その読取りにより得られた画像データにおけるその第１の二次元コードとその第２の二次元コードとをデコードするデコード工程と、
その第１の二次元コードのそのデコードにより得られたセキュリティ情報と、その第２の二次元コードのそのデコードにより得られたセキュリティ情報のうち、より高いセキュリティレベルを持つセキュリティ情報を選択する選択工程と、
その選択されたセキュリティ情報に基づいて第３の二次元コードを生成する生成工程と、
その画像データと、その生成されたその第３の二次元コードとを合成する合成工程と、
その合成の結果を出力する出力工程とを有することを特徴とする装置の制御方法。
【請求項１５】
その出力工程は、
その合成の結果を１枚の紙に印刷することを特徴とする請求項１４に記載の制御方法。
【請求項１６】
その生成工程は、
その第１の二次元コードのそのデコードにより得られたそのセキュリティ情報と、その第２の二次元コードのそのデコードにより得られたそのセキュリティ情報のうちのその選択されたセキュリティ情報を含み、選択されなかったセキュリティ情報を含まないその第３の二次元コードを生成することを特徴とする請求項１４又は１５に記載の制御方法。
【請求項１７】
その合成工程でのその合成の前に、
その画像データから、その選択されなかったそのセキュリティ情報を含む二次元コードを削除する削除工程をさらに有することを特徴とする請求項１６に記載の制御方法。
【請求項１８】
その合成工程でのその合成の前に、
その画像データから、その選択されたセキュリティ情報を含む二次元コードを削除する削除工程をさらに有することを特徴とする請求項１６に記載の制御方法。
【請求項１９】
その選択工程は、
その第１の二次元コードのそのデコードにより得られたそのセキュリティ情報のセキュリティレベルと、その第２の二次元コードのそのデコードにより得られたそのセキュリティ情報のセキュリティレベルとを比較し、
その比較の結果として、そのより高いセキュリティレベルを持つそのセキュリティ情報を選択することを特徴とする請求項１４乃至１８の何れか１項に記載の制御方法。
【請求項２０】
第１の二次元コードを含む第１の原稿と、第２の二次元コードを含む第２の原稿とを読取る読取工程と、
その読取りにより得られた画像データにおけるその第１の二次元コードとその第２の二次元コードとをデコードするデコード工程と、
その第１の二次元コードのそのデコードにより得られた追跡情報と、その第２の二次元コードのそのデコードにより得られた追跡情報のうち、より古い追跡情報を選択する選択工程と、
その選択された追跡情報に基づいて第３の二次元コードを生成する生成工程と、
その画像データと、その生成されたその第３の二次元コードとを合成する合成工程と、
その合成の結果を出力する出力工程とを有する制御方法。
【請求項２１】
その出力工程は、
その合成の結果を１枚の紙に印刷することを特徴とする請求項２０に記載の制御方法。
【請求項２２】
その生成工程は、
その第１の二次元コードのそのデコードにより得られたその追跡情報と、その第２の二次元コードのそのデコードにより得られたその追跡情報のうちのその選択された追跡情報を含み、選択されなかった追跡情報を含まないその第３の二次元コードを生成することを特徴とする請求項２０又は２１に記載の制御方法。
【請求項２３】
その合成工程でのその合成の前に、
その画像データから、その選択されなかったそのセキュリティ情報を含む二次元コードを削除する削除工程をさらに有することを特徴とする請求項２０乃至２２の何れか１項に記載の制御方法。
【請求項２４】
その合成工程でのその合成の前に、
その画像データから、その選択されたその追跡情報を含む二次元コードを削除する削除工程をさらに有する請求項２０乃至２２の何れか１項に記載の制御方法。
【請求項２５】
その第１の二次元コードとその第２の二次元コードは、同じセキュリティレベルのセキュリティ情報を含む請求項２０乃至２４の何れか１項に記載の制御方法。
【請求項２６】
追跡情報とは、原稿の印刷を指示したユーザを示す情報である請求項２０乃至２５の何れか１項に記載の制御方法。
【請求項２７】
請求項１４乃至２６の何れか１項に記載の制御方法をコンピュータに実行させるためのコンピュータ読取り可能なプログラム。
【請求項２８】
請求項１４乃至２６の何れか１項に記載の制御方法をコンピュータに実行させるためのコンピュータ読取り可能なプログラムを記憶した記憶媒体。